(57)【要約】【課題】給水方向が電極の取り付け方向に依存することなく、容易に溶液の給水作業をなし得る構造の電位検出用電極を提供する。【解決手段】電極1の外筒２の開口部６にキャップ１９を装着し、保管時に、キャップ１９の溶液供給口２０ａより、溶液を給水して、内室２ａに溶液８を満たし、溶液供給口２０ａに栓体１２をネジ締めして、密封する電位検出用電極において、キャップ１９を六面体で形成し、電極1の軸と平行の外面１９ａに溶液供給口２０ａを、電極1の軸と直交する外面１９ｂに開口部6装着用の凹部２０ｂを設け、溶液供給口２０ａと凹部２０ｂ間に、電極1の軸と直交方向に配備の通路２０ｃと、この通路２０ｃに連通し電極１の軸に平行方向に配備の通路２０ｄとからなる連通路２０を設ける。【選択図】  図１
0003131640.tif 000002
【実用新案登録請求の範囲】
【請求項１】
電極本体と、この電極本体を内室に配備するとともに内室を外部に連通する開口部を有する筒状容器と、溶液供給口を供える連通路を有し、電極不使用時に前記内室に溶液を収納して保管するため前記連通路の他方開口端を前記筒状容器の開口部に臨ませて装着するキャップと、このキャップの前記溶液供給口を密封する栓体とを供える電位検出用電極において、
前記キャップの前記連通路は、前記筒状容器の軸方向に直交する第１通路と、この第１通路に連通して前記筒状容器の軸方向と同方向の第２通路とを有し、いずれか一方の通路の一端が前記溶液供給口に臨み、他方の通路の他端が前記筒状容器の開口部に臨むように配置されることを特徴とする電位検出用電極。
【請求項２】
前記キャップは、円柱状体の側面を縦割りに面一にカットし、このカット面に前記溶液供給口を設けることを特徴とする請求項１記載の電位検出用電極。
【請求項３】
前記キャップは、六面体であり、前記筒状容器の軸方向に直交する外面に前記溶液供給口を備え、前記外面に直交する他の外面に前記筒状容器の開口部を装着する凹部を設けることを特徴とする請求項１記載の電位検出用電極。
【請求項４】
前記キャップは、円柱状体の側面を縦割りに面一にカットし、このカット面に前記溶液供給口と、前記筒状容器の開口部を装着する凹部を設けることを特徴とする請求項１記載の電位検出用電極。
【請求項５】
前記キャップは、六面体であり、前記溶液供給口と前記筒状容器の開口部を装着する凹部を同一の外面に設けることを特徴とする請求項１記載の電位検出用電極。
【考案の詳細な説明】
【技術分野】
【０００１】
この考案は、海中等の微小電位差を検出する電位検出用電極に関する。
【背景技術】
【０００２】
近年、海中の微小電位差を検出するのに、導体棒あるいはパイプ状の導体を電極本体として、先端に開口部を有する筒状の容器の内室に設けてなる電極を一対、所定距離をおいて海中に設置して、両電極間に流れる電流を測定して、両電極間の電位差を検出する技術が使用されている（例えば特許文献１参照）
この種の電極について、従来例を図５により具体的に説明する。図５の（ａ）は、不使用時の電極の主要部の断面図、図５の（ｂ）は、その側面図である。電極１は、外筒２の内室２ａに、ブロック３に支持された電極導体（電極本体）１ａを設け、外筒２の先端には、内室２ａを外部に連通する開口部６が設けてある。この開口部６には、フィルタ７が配備されている。外筒２は、ブロック３に対しＯリング５を介して脱着可能に装着されている。電極１は、コード４により電位差計本体（図示せず）に接続される。測定時は、このような構成の電極１が海中に設置される。
【０００３】
電極の不使用時は、内室２ａに電解溶液８を満たした状態で外筒２の先端（開口部６）に、連通路１０を有する円筒形のキャップ９を装着し、さらにこのキャップ９の溶液供給口１０ａに、Ｏリング1１を介して栓体１２をネジ部９ｃ、１２ａで螺合し、溶液８を、内室２ａに密封している。上記したように、電極1を測定に使用する際には、電極１の外筒２からキャップ９及び栓体１２を取り外して、測定に使用する。使用を終了し、電極１を保管する際は、図6に示すように、電極1を立てた状態で、開口部６に、キャップ９を装着し、キャップ９の溶液供給口１０ａの上方より、溶液を給水する。給水後、栓体１２をキャップ９の溶液供給口１０ａにネジ締めし、溶液８を外部から密封している。
【特許文献１】特開２００６−２９８６０号公報
【考案の開示】
【考案が解決しようとする課題】
【０００４】
上記した、これまでのキャップを用いた電極の保管技術では、電極１の軸方向と、内部溶液の給水方向が同一であるため、電極１の内室２ａに溶液を供給するには、溶液供給口１０ａを上方に向ける必要があり、その度に電極１の軸方向を常に鉛直方向に向ける必要がある。しかし、例えば電極１を２個（３軸では６個）距離をおいて配置するため巨大な構造物（枠体）に固定して組み込んだ場合は、船上などの狭い箇所で、容易に鉛直に向けることが出来ず、内部溶液の給水が困難となる場合があるという問題があった。
【０００５】
この考案は、上記問題点に着目してなされたものであって、給水方向が電極の取り付け方向に依存することなく、容易に溶液の給水作業をなし得る構造の電位検出用電極を提供することを、目的とする。
【課題を解決するための手段】
【０００６】
この考案の電位検出用電極は、電極本体（１ａ）と、この電極本体（１ａ）を内室（２ａ）に配備するとともに内室（２ａ）を外部に連通する開口部（６）を有する筒状容器（２）と、溶液供給口（２０ａ）を備える連通路（２０）を有し、電極不使用時に前記内室（２ａ）に溶液（８）を満たして保管するため前記連通路（２０）の他方開口端を前記筒状容器（２）の開口部（６）に臨ませて装着するキャップ（１９）と、このキャップ（１９）の前記溶液供給口（２０ａ）を密封する栓体（１２）とを備える電位検出用電極において、前記キャップ（１９）の前記連通路（２０）は、前記筒状容器（２）の軸方向に直交する第１通路（２０ｃ）と、この第１通路（２０ｃ）に連通して前記筒状容器（２）の軸方向と同方向の第２通路（２０ｄ）とを有し、いずれか一方の通路の一端が前記溶液供給口（２０ａ）に臨み、他方の通路の他端が前記筒状容器（２）の開口部（６）に臨むように配置されることを特徴とする。
【０００７】
この考案の電位検出用電極において、前記キャップは、好ましくは、円柱状体の側面を縦割りに面一にカットし、このカット面に前記溶液供給口を設けるとよい。
【０００８】
また、この考案の電位検出用電極において、前記キャップは、六面体であり、前記筒状容器の軸方向に直交する外面に前記溶液供給口を備え、前記外面に直交する他の外面に前記筒状容器の開口部を装着する凹部を設けることとしてもよい。
【０００９】
また、この考案の電位検出用電極において、前記キャップは、円柱状体の側面を縦割りに面一にカットし、このカット面に前記溶液供給口と、前記筒状容器の開口部を装着する凹部を設けることとしてもよい。
【００１０】
また、この考案の電位検出用電極において、前記キャップは、六面体であり、その外面の一つに前記溶液供給口と前記筒状容器の開口部を装着する凹部を設けるようにしてもよい。
【考案の効果】
【００１１】
この考案によれば、キャップの連通路は、筒状容器の軸方向に直交する第１通路と、この第１通路に連通して筒状容器の軸方向と同方向の第２通路とを有し、いずれか一方の通路の一端が前記溶液供給口に臨み、他方の通路の他端が前記筒状容器の開口部に臨むように配置しているので、電極の溶液給水を、構造体の姿勢を保管しやすい状態から変えるなどの必要なく、つまり、その電極の取り付け方向や設置方向に依存することなく、容易に行うことが出来る。
【考案を実施するための最良の形態】
【００１２】
以下、実施の形態によりこの考案を、さらに詳細に説明する。
【００１３】
＜実施形態１＞
図１、図２により、この考案の実施形態１を説明する。図１の（ａ）は、不使用時の電極の主要部の断面図、図１の（ｂ）は、その側面図である。この実施形態の電位検出用電極で、電極１は、外筒（筒状容器）２の内室２ａに、ブロック３で支持された電極導体１ａを設け、外筒２の先端には、内室２ａを外部に連通する開口部６が設けてあり、この開口部６には、フィルタ７が配備されている。この点電極１は、図５、図６で示したものと、変わりがない。さらに、電極１の開口部６に、キャップ１９を装着している。この実施形態１は、キャップ１９の構造に特徴がある。
【００１４】
キャップ１９は、外形が６面体（立方体）であり、電極１の軸方向に平行の外面１９ａに開口する溶液供給口２０ａと、電極１の軸方向に直交する外面１９ｂに開口し電極１の開口部６を装着する凹部２０ｂと、溶液供給口２０ａと凹部２０ｂとを結ぶ連通路２０と、を備えている。連通路２０は、溶液供給口２０ａから電極１の軸方向に直交する方向に延びる通路２０ｃと、この通路２０ｃより凹部２０ｂまで電極１の軸方向に平行に延びる通路２０ｄとからなる
電極１の不使用時は、内室２ａ及び連通路２０に、溶液８が満たされた状態で、栓体１２が、キャップ１９の溶液供給口２０ａにネジ部９ｃ、１２ａで螺合され、内室２ａ及び連通路２０に、溶液８が密封される。電極1を測定に使用する際は、電極１からキャップ１９を取り外すことは、図５の場合と同様である。
【００１５】
この、実施形態１では、図2に示すように、電極１の軸方向とキャップ１９の溶液給水方向が直交するので、電極１が構造体（図示せず）に図１の姿勢で取り付けられている場合、使用終了後の保管時は、構造体を鉛直にすることなく、溶液供給口２０ａから、溶液を給水できる。
【００１６】
＜実施形態２＞
次に、図３により、この考案の実施形態２を説明する。この実施形態の電位検出用電極も、電極１は、外筒２の内室２ａに、ブロック３で支持された電極導体１ａが設けられ、外筒２の先端には、内室２を外部に連通する開口部６が設けてあり、この開口部６には、フィルタ７が配備されており、やはり図５、図６で示したものと、変わりがない。さらに、電極１の開口部６に、キャップ２９を装着している。この実施形態２の特徴は、図１の実施形態１のキャップ１９に代えて、円柱状体の側面を縦割りに面一にカットして、平坦な外面２９ａを形成した、キャップ２９を使用したことである。
【００１７】
キャップ２９は、電極１の軸方向に平行のカット外面２９ａに開口する溶液供給口３０ａと、電極１の軸方向に直交する外面２９ｂに開口し電極１の開口部６を装着する凹部３０ｂと、溶液供給口３０ａと凹部３０ｂとを結ぶ連通路３０と、を備えている。連通路３０は、溶液供給口３０ａから電極１の軸方向に直交する方向に延びる通路３０ｃと、この通路３０ｃより凹部３０ｂまで電極１の軸方向に平行に延びる通路３０ｄとからなる
電極１の不使用時の保管、及び溶液の給水は、図１の実施形態１の場合と、同様である。
【００１８】
この実施形態では、キャップ２９は、全体として、円柱形状であるが、側面を面一にカットし、平坦な外面２９ａを形成し、ここに、溶液供給口３０ａを設けており、栓体１２でＯリング１１を介して内室２ａ内に確実に溶液８を密封出来る。また、この実施形態２でも、電極１の軸方向とキャップ２９の溶液給水方向が直交するので、構造体（図示せず）に図３の姿勢で取り付けられている場合、使用終了後の保管時は、構造体を鉛直にすることなく、溶液供給口３０ａから、溶液を給水できる。
【００１９】
＜実施形態３＞
この考案の実施形態３を図４を参照して説明する。この実施形態の電位検出用電極も、電極１は、図１、図３で使用したものと変わりはない。この実施形態３の特徴は、図１の実施形態１のキャップ１９、図３の実施形態２のキャップ２９に代えて、六面体の外形を持つ、キャップ３９を使用したことである。
【００２０】
キャップ３９は、外形が６面体（立方体）であり、電極１の軸方向に直交の外面３９ａに開口する溶液供給口４０ａと、同じく外面４０ａに開口し電極１の開口部６を装着する凹部４０ｂと、溶液供給口４０ａと凹部４０ｂとを結ぶ連通路４０と、を備えている。連通路４０は、溶液供給口４０ａから電極１の軸方向に平行の方向に延びる通路４０ｃと、この通路４０ｃより電極１の軸方向に直交する方向に延びる通路４０ｄと、この通路４０ｄより凹部４０ｂまで電極１の軸方向に平行に延びる通路４０ｅとからなる
電極１の不使用時は、内室２ａ及び連通路４０に、溶液８が満たされた状態で、栓体１２が、キャップ３９の溶液供給口４０ａに螺合され、内室２ａ及び連通路４０に、溶液８が密封される。電極1を測定に使用する際は、電極１からキャップ３９を外すことは、図１、図３、図５の場合と同様である。
【００２１】
この、実施形態３では、図４に示すように、電極１の軸方向とキャップ１９の溶液給水方向が同一方向であるが、構造体（図示せず）に図４の姿勢、つまり鉛直方向に取り付けられている場合、使用終了後の保管時は、構造体を動かすことなく、溶液供給口４０ａから、溶液を給水できる。
【００２２】
なお、この実施形態３において、キャップ３９は、外形が六面体のものに代えて図３に示すものと同様の外形のものを用いてもよい。
【図面の簡単な説明】
【００２３】
【図１】この考案の、実施形態１の電位検出用電極を示し、（ａ）は、その主要部断面図、（ｂ）は、その側面図である。
【図２】同実施形態１の電極の軸方向と、溶液給水方向の関係を示す図である。
【図３】この考案の、実施形態２の電位検出用電極を示し、（ａ）は、その主要部断面図、（ｂ）は、その側面図である。
【図４】この考案の、実施形態３の電位検出用電極を示す、主要部断面図である。
【図５】従来の、電位検出用電極を説明する図であって、（ａ）は、その主要部断面図、（ｂ）は、その側面図である。
【図６】同従来の、電位検出用電極の軸方向と、溶液給水方向の関係を示す図である。
【符号の説明】
【００２４】
１                              電極
１ａ                            電極導体（電極本体）                          
２                              外筒
２ａ                            内室  
６                              開口部
７                              フィルタ
８                              溶液                            
９、１９、２９、３９            キャップ                            
１０、２０，３０、４０            連通路
１０ａ、２０ａ、３０ａ、４０ａ    溶液供給口
２０ｃ、２０ｄ、３０ｃ、３０ｄ    通路
１１                              Ｏリング                    
１２                              栓体
２０ｂ、３０ｂ、４０ｂ            電極先端装着用の凹部
２０ｃ、２０ｄ、３０ｃ、３０ｄ    通路
４０ｃ、４０ｄ、４０ｅ            通路
【図１】
0003131640.tif 000003
【図２】
0003131640.tif 000004
【図３】
0003131640.tif 000005
【図４】
0003131640.tif 000006
【図５】
0003131640.tif 000007
【図６】
0003131640.tif 000008